【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
(ａ)１つ以上のペンダント基セグメントおよび(ｂ)１つ以上のポリオールセグメントを含むコポリマーであって、該セグメントはそれぞれ同じかまたは異なりうる１つ以上の別のセグメントに結合しており、
該１つ以上のペンダント基セグメントは同じかまたは異なり、以下から選択される：
(i)シロキサンセグメント；
(ii)ホスホリルコリンまたはその誘導体もしくは類似体を含むセグメント；
(iii)ジフルオロメチル基またはトリフルオロメチル基を含むセグメント；
(iv)式(XII)の基を含むヘパリン様セグメント
【化１】
2007522280.tif 000001
(式中、Dは脂肪族または芳香族基であり、Ar-SO3-は１つ以上の結合したアリールおよび/またはヘテロアリール基を含み、該アリールおよび/またはヘテロアリール基の少なくとも１つはSO3-置換基を有する)；ならびに
(v)式(I)の基を含むセグメント
【化２】
2007522280.tif 000002
(式中：
-[A1]は不活性アミノ酸；
-xは、０、１、２または３；
-[スペーサー]は、脂肪酸、アミノ酸、ペプチドまたはPEG；
-[P]n'-[Lys]nは、n個のリシン基で形成され、n'個の基Pで終結する樹枝状構造；
-nは1〜15の整数；
-n'はゼロ、または最大16の整数；および
-Pはそれぞれ同じであるか異なり、アミノ酸または最大25個のアミノ酸を有するペプチドである)、
そして、該ペンダント基セグメントのそれぞれの少なくとも一部はコポリマーの側鎖上にある、コポリマー。
【請求項２】
前記セグメントが尿素またはウレタン結合を介して結合している、請求項１に記載のコポリマー。
【請求項３】
１つ以上のペンダントシロキサンセグメントを含む、請求項１または２に記載のコポリマー。
【請求項４】
前記ペンダントシロキサンセグメントは、式(II)の繰り返しユニットを含む線状シロキサンを含む、請求項１〜４のいずれか一項に記載のコポリマー
【化３】
2007522280.tif 000003
(式中、Rはそれぞれ同じであるか異なり、脂肪族または芳香族基を表す)。
【請求項５】
Rはそれぞれ同じであるか異なり、アルキル、アルケニル、アルキニル、シクロアルキルまたはアリール基を表す、請求項４に記載のコポリマー。
【請求項６】
前記ペンダントシロキサンセグメントが構造(III)を有する、請求項１〜３のいずれか一項に記載のコポリマー
【化４】
2007522280.tif 000004
(式中、Sは線状シロキサン基、カゴ型シルセスキオキサン(silsesquioxane cage)または部分的カゴ型シルセスキオキサンであり、Yは少なくとも２つの尿素またはウレタン結合に結合した脂肪族基である)。
【請求項７】
Sはカゴ型シルセスキオキサンである、請求項６に記載のコポリマー。
【請求項８】
前記カゴ型シルセスキオキサンSが、式(IV)の繰り返しユニットから構成される、請求項７に記載のコポリマー
【化５】
2007522280.tif 000005
(式中、R'はそれぞれ同じであるか異なり、脂肪族または芳香族基を表し、１つのR'基が基Yへの結合に置き換えられている)。
【請求項９】
前記R'はそれぞれ同じかまたは異なり、アルキル、アルケニル、アルキニル、シクロアルキルまたはアリール基を表す、請求項８に記載のコポリマー。
【請求項１０】
１つ以上のペンダントシロキサンセグメントを含み、シロキサンセグメントとポリオールセグメントの比率が1：10未満である、請求項１〜９のいずれか一項に記載のコポリマー。
【請求項１１】
最大5000の分子量を有する１つ以上のペンダントシロキサンセグメントを含む、請求項１〜１０に記載のコポリマー。
【請求項１２】
２以上の異なるペンダントシロキサンセグメントを含み、それぞれがカゴ型シルセスキオキサンまたは部分的なカゴ構造を含む、請求項１〜１１のいずれか一項に記載のコポリマー。
【請求項１３】
ホスホリルコリンまたはその誘導体を含む前記セグメントは式(V)を有する、請求項１〜１２のいずれか一項に記載のコポリマー
【化６】
2007522280.tif 000006
(式中、sは０、１、２、３または４、およびBは以下の式の脂肪族基である)
【化７】
2007522280.tif 000007
(式中、pは０〜８の整数、またはBは式(VI)もしくは(VIA)の基である)
【化８】
2007522280.tif 000008
(式中、B1はそれぞれ同じであるか異なり、C6-C10アリール、C1-C8アルキレン、C2-C8アルケニレン、C3-C6シクロアルキル基、または窒素、酸素および硫黄から選択される１、２もしくは３つのヘテロ原子を含む5もしくは6員ヘテロシクリル基であり；B2は、窒素、酸素および硫黄から選択される１〜５つのヘテロ原子を含む5〜10員ヘテロシクリルまたはヘテロアリール基であり；B3は脂肪族基であり；qは０、１、２または３であり；mは０または１である)。
【請求項１４】
ホスホリルコリンの類似体を含む前記セグメントが式(VII)を有する、請求項１〜１３のいずれか一項に記載のコポリマー
【化９】
2007522280.tif 000009
(式中、sおよびBは請求項１３に定義される通りであり、rは１、２、３、４または５であり、１つ以上のリン酸基は独立してかつ任意に塩の形態で存在し得る)。
【請求項１５】
ジフルオロメチル基またはトリフルオロメチル基を含む前記セグメントが、１つ以上のジフルオロメチル基またはトリフルオロメチル基、および任意に１つ以上のフッ素原子で置換された線状または分岐状C2-12アルキレン基である、請求項１〜１４のいずれか一項に記載のコポリマー。
【請求項１６】
ジフルオロメチル基またはトリフルオロメチル基を含む前記セグメントが、シロキサンセグメント、ホスホリルコリンまたはその誘導体もしくは類似体を含むセグメント、ヘパリン様セグメント、ジフルオロメチル基、またはトリフルオロメチル基で置換された式(I)のセグメントである、請求項１〜１５のいずれか一項に記載のコポリマー。
【請求項１７】
式(XII)の基Arは、フェニルおよびピラゾリルから選択される１または２つの結合したアリールまたはヘテロアリール基を含み、Arは１または２つの-SO3-基ならびにメチル、エチル、メトキシ、メチルチオ、ニトロおよびジメチルアミノ基から選択される１、２または３つの別の置換基で置換され；ならびにDは基D1-D2-D3-である(式中、D1は置換されていないか、またはメチル、エチルおよびメトキシ基から選択される１、２もしくは３つの置換基で置換されたアリールまたはヘテロアリール基であり、D2は-NR'CO-、-CONR'、-OCO-、-COO-、-NR'SO2-または-SO2NR'-であり、D3はフェニル、または置換されていないか、もしくはメチル、エチルおよびメトキシ基から選択される１、２もしくは３つの置換基で置換されたC1-4アルキレンもしくはC2-4アルケニレン基である)、請求項１〜１６のいずれか一項に記載のコポリマー。
【請求項１８】
前記式(XII)の基が酸性黄(Acid Yellow)化合物の誘導体である、請求項１〜１７のいずれか一項に記載のコポリマー。
【請求項１９】
前記式(I)の基において、nは７である、請求項１〜１８のいずれか一項に記載のコポリマー。
【請求項２０】
前記式(I)の基において、PはＤ型のアミノ酸またはペプチドである、請求項１〜１９のいずれか一項に記載のコポリマー。
【請求項２１】
２つ以上の異なるペンダント基セグメントを含む、請求項１〜２０のいずれか一項に記載のコポリマー。
【請求項２２】
１つ以上の鎖延長剤セグメントをさらに含み、該鎖延長剤セグメントのそれぞれが、同じかまたは異なり得る１つ以上の別のセグメントに結合した、請求項１〜２１のいずれか一項に記載のコポリマー。
【請求項２３】
前記鎖延長剤セグメントが、アミノ酸、ペプチド、ポリペプチドおよびC1-C6脂肪族部分から選択される、請求項２２に記載のコポリマー。
【請求項２４】
前記１つ以上の鎖延長剤セグメントが抗凝固剤である、請求項２３に記載のコポリマー。
【請求項２５】
前記１つ以上の鎖延長剤セグメントがRGD(Arg-Gly-Asp)である、請求項２３または２４に記載のコポリマー。
【請求項２６】
各セグメントが、以下の式の基により、１つ以上の別のセグメントに結合した、請求項１〜２５のいずれか一項に記載のコポリマー
【化１０】
2007522280.tif 000010
(式中、Xはそれぞれ同じかまたは異なり、窒素または酸素原子であり、Aはそれぞれ同じかまたは異なり、脂肪族または芳香族部分である)。
【請求項２７】
コンポーネント(ｂ)として、１つ以上のポリカーボネートセグメントを含む、請求項１〜２６のいずれか一項に記載のコポリマー。
【請求項２８】
請求項２〜２７のいずれか一項に記載のコポリマーの製造方法であって、任意の順番で以下を重合することを含む
(i)請求項１〜１９のいずれか一項で定義した１つ以上のペンダント基セグメントであり、それぞれのセグメントは、一次または二次アミン、ヒドロキシルおよびカルボン酸基から選択される少なくとも１つの基に結合している；
(ii)ポリオール；
(iii)２つ以上のイソシアネート基を有する芳香族化合物；ならびに任意に
(iv) アミノ酸、ペプチド、ポリペプチドおよびC1-C6脂肪族基から選択される１つ以上の鎖延長剤であって、それぞれは、一次または二次アミン、ヒドロキシルおよびカルボン酸基から選択される少なくとも１つの置換基を有する。
【請求項２９】
請求項２〜２７のいずれか一項に記載のコポリマーの製造方法であって、該コポリマーはペンダント基セグメントとして、コポリマーの骨格に直接結合した線状シロキサンを含み、
(i)ポリオールポリウレタンを強塩基と反応させること、および(ii)(i)の生成物をシロキサンと反応させることを含む、製造方法。
【請求項３０】
請求項２８または２９に記載の方法により得られるかまたは得ることが可能なコポリマー。
【請求項３１】
請求項１〜２７および３０のいずれか一項に記載のコポリマーの表面上に細胞を播種することを含む、裏打ちされたコポリマーを製造する方法。
【請求項３２】
請求項３１に記載の方法により得られるかまたは得ることが可能な裏打ちされたコポリマー。
【請求項３３】
請求項１〜２７および３０のいずれか一項に記載のコポリマー、または請求項２９に記載の裏打ちされたコポリマーを含む成形品。
【請求項３４】
移植可能デバイスである、請求項３３に記載の成形品。
【請求項３５】
血管移植片である、請求項３４に記載の移植可能デバイス。
【請求項３６】
身体部分を交換するための移植可能デバイスの製造における、請求項１〜２７および３０のいずれか一項に記載のコポリマーの使用。